(57)【要約】  輸液装置は、第１液体を収容する輸液バッグと、シリンジを保持するとともに、前記シリンジに収容された第２液体を前記輸液バッグに連なる輸液ラインに送給可能なシリンジポンプと、前記輸液バッグに収容された前記第１液体の残量が所定量以下である場合に所定信号を送信可能な液体センサと、を有し、前記シリンジポンプは、前記液体センサからの前記所定信号を受信可能な通信部と、外部に所定情報を報知可能な報知部と、前記通信部が前記所定信号を受信すると前記報知部に前記所定情報を報知させる報知制御部と、を有する。
2019187690.tif 000002
【特許請求の範囲】
【請求項１】
第１液体を収容する輸液バッグと、
シリンジを保持するとともに、前記シリンジに収容された第２液体を前記輸液バッグに連なる輸液ラインに送給可能なシリンジポンプと、
前記輸液バッグに収容された前記第１液体の残量が所定量以下である場合に所定信号を送信可能な液体センサと、を有し、
前記シリンジポンプは、
前記液体センサからの前記所定信号を受信可能な通信部と、
外部に所定情報を報知可能な報知部と、
前記通信部が前記所定信号を受信すると前記報知部に前記所定情報を報知させる報知制御部と、を有する、
輸液装置。
【請求項２】
前記シリンジポンプは、
前記輸液ラインへの前記第２液体の送給を制御可能な送給制御部と、
前記通信部と前記液体センサとが通信可能に接続されたか否かを判定する判定部と、を有し、
前記送給制御部は、前記通信部と前記液体センサとが通信可能に接続されたことを前記判定部が判定するまで前記輸液ラインへの前記第２液体の送給を開始しない、
請求項１に記載の輸液装置。
【請求項３】
前記シリンジポンプは、
前記輸液ラインへの前記第２液体の送給を制御可能な送給制御部と、
前記通信部と前記液体センサとが通信可能に接続されたか否かを判定するとともに、前記第２液体が所定薬剤であるか否かを判定する判定部と、を有し、
前記送給制御部は、前記判定部が前記第２液体は前記所定薬剤であると判定した場合に、前記通信部と前記液体センサとが通信可能に接続されたことを前記判定部が判定するまで前記輸液ラインへの前記第２液体の送給を開始しない、
請求項１に記載の輸液装置。
【請求項４】
前記液体センサは、前記第１液体の前記残量が前記所定量を超えている場合に前記所定信号とは異なる他の信号を送信可能であり、
前記シリンジポンプは、前記輸液ラインへの前記第２液体の送給を制御可能な送給制御部を有し、
前記送給制御部は、前記通信部が前記他の信号を受信するまで前記輸液ラインへの前記第２液体の送給を開始しない、
請求項１に記載の輸液装置。
【請求項５】
前記液体センサは、前記第１液体の前記残量が前記所定量を超えている場合に前記所定信号とは異なる他の信号を送信可能であり、
前記シリンジポンプは、
前記第２液体が所定薬剤であるか否かを判定する判定部と、
前記輸液ラインへの前記第２液体の送給を制御可能な送給制御部と、を有し、
前記送給制御部は、前記判定部が前記第２液体は前記所定薬剤であると判定した場合に、前記通信部が前記他の信号を受信するまで前記輸液ラインへの前記第２液体の送給を開始しない、
請求項１に記載の輸液装置。
【請求項６】
前記液体センサは、前記輸液バッグに配置された超音波センサである、請求項１〜５のいずれか一項に記載の輸液装置。
【請求項７】
シリンジを保持するとともに、第１液体を収容する輸液バッグに連なる輸液ラインに前記シリンジに収容された第２液体を送給可能なシリンジポンプであって、
前記輸液バッグに収容された前記第１液体の残量が所定量以下である場合に液体センサが送信する所定信号を受信可能な通信部と、
外部に所定情報を報知可能な報知部と、
前記通信部が前記所定信号を受信すると前記報知部に前記所定情報を報知させる報知制御部と、を備えるシリンジポンプ。
【発明の詳細な説明】
【技術分野】
【０００１】
本開示は、輸液装置及びシリンジポンプに関する。
【背景技術】
【０００２】
人体等の生体の手術において、シリンジに収容された麻酔薬がシリンジポンプによって生体に投与されている。このような麻酔薬の投与は、通常、輸液バッグと生体とを接続する輸液ラインへの混注によって行われる。輸液バッグは、その残量が監視され、残量が不足する度に新品と交換される。輸液バッグの残量の監視は、医療従事者が輸液バッグ等の目視により行う場合が多い。また、例えば特許文献１に記載されるように、輸液バッグに配置した液体センサからの信号を受信可能なコンピュータを用いて行うことも考えられる。
【先行技術文献】
【特許文献】
【０００３】
【特許文献１】特開２０１５−９６０９８号公報
【発明の概要】
【発明が解決しようとする課題】
【０００４】
ところで、輸液バッグの残量不足は、例えば、手術中に失血等の意図しない事態が発生した場合に、対応を後回しにされる場合がある。輸液ラインの送液が輸液ポンプによって行われる場合には、輸液ポンプが発する気泡の混入警報により、空になった輸液バッグの交換を促すことができる。一方、輸液ラインの送液が重力による自然滴下によって行われる場合には、輸液バッグの残量不足が看過される虞があった。【０００５】
しかし、輸液バッグの残量不足時には、輸液ラインの流量低下により、たとえ麻酔薬がシリンジポンプによって輸液ラインに送給されていても、生体に到達する麻酔薬の流量が低下するため、術中覚醒等の深刻な事態を生じる虞がある。このような問題は、麻酔薬以外の所定薬剤、例えば昇圧剤、降圧剤等にも当てはまる。【０００６】
本開示は、このような問題に鑑み、輸液バッグの残量不足時に輸液バッグの交換を強く促すことができ、もって、シリンジポンプによって投与される所定薬剤の意図した効果を確実に得ることができる、輸液装置及びシリンジポンプを提供することを目的とする。
【課題を解決するための手段】
【０００７】
本発明の第１態様としての輸液装置は、
第１液体を収容する輸液バッグと、
シリンジを保持するとともに、前記シリンジに収容された第２液体を前記輸液バッグに連なる輸液ラインに送給可能なシリンジポンプと、
前記輸液バッグに収容された前記第１液体の残量が所定量以下である場合に所定信号を送信可能な液体センサと、を有し、
前記シリンジポンプは、
前記液体センサからの前記所定信号を受信可能な通信部と、
外部に所定情報を報知可能な報知部と、
前記通信部が前記所定信号を受信すると前記報知部に前記所定情報を報知させる報知制御部と、を有する。【０００８】
本発明の１つの実施形態として、
前記シリンジポンプは、
前記輸液ラインへの前記第２液体の送給を制御可能な送給制御部と、
前記通信部と前記液体センサとが通信可能に接続されたか否かを判定する判定部と、を有し、
前記送給制御部は、前記通信部と前記液体センサとが通信可能に接続されたことを前記判定部が判定するまで前記輸液ラインへの前記第２液体の送給を開始しない。【０００９】
本発明の１つの実施形態として、
前記シリンジポンプは、
前記輸液ラインへの前記第２液体の送給を制御可能な送給制御部と、
前記通信部と前記液体センサとが通信可能に接続されたか否かを判定するとともに、前記第２液体が所定薬剤であるか否かを判定する判定部と、を有し、
前記送給制御部は、前記判定部が前記第２液体は前記所定薬剤であると判定した場合に、前記通信部と前記液体センサとが通信可能に接続されたことを前記判定部が判定するまで前記輸液ラインへの前記第２液体の送給を開始しない。【００１０】
本発明の１つの実施形態として、
前記液体センサは、前記第１液体の前記残量が前記所定量を超えている場合に前記所定信号とは異なる他の信号を送信可能であり、
前記シリンジポンプは、前記輸液ラインへの前記第２液体の送給を制御可能な送給制御部を有し、
前記送給制御部は、前記通信部が前記他の信号を受信するまで前記輸液ラインへの前記第２液体の送給を開始しない。【００１１】
本発明の１つの実施形態として、
前記液体センサは、前記第１液体の前記残量が前記所定量を超えている場合に前記所定信号とは異なる他の信号を送信可能であり、
前記シリンジポンプは、
前記第２液体が所定薬剤であるか否かを判定する判定部と、
前記輸液ラインへの前記第２液体の送給を制御可能な送給制御部と、を有し、
前記送給制御部は、前記判定部が前記第２液体は前記所定薬剤であると判定した場合に、前記通信部が前記他の信号を受信するまで前記輸液ラインへの前記第２液体の送給を開始しない。【００１２】
本発明の１つの実施形態として、前記液体センサは、前記輸液バッグに配置された超音波センサである。【００１３】
本発明の第２の態様としてのシリンジポンプは、
シリンジを保持するとともに、第１液体を収容する輸液バッグに連なる輸液ラインに前記シリンジに収容された第２液体を送給可能なシリンジポンプであって、
前記輸液バッグに収容された前記第１液体の残量が所定量以下である場合に液体センサが送信する所定信号を受信可能な通信部と、
外部に所定情報を報知可能な報知部と、
前記通信部が前記所定信号を受信すると前記報知部に前記所定情報を報知させる報知制御部と、を備えるものである。
【発明の効果】
【００１４】
本開示によれば、輸液バッグの残量不足時に輸液バッグの交換を強く促すことができ、もって、シリンジポンプによって投与される所定薬剤の意図した効果を確実に得ることができる、輸液装置及びシリンジポンプを提供することができる。
【図面の簡単な説明】
【００１５】
【図１】本発明の第１実施形態に係る輸液装置を模式的に示す外観図である。
【図２】図１に示す輸液装置の機能を示すブロック図である。
【図３】図１に示す輸液装置の作動要領を示すフローチャートである。
【図４】本発明の第２実施形態に係る輸液装置を模式的に示す外観図である。
【図５】図４に示す輸液装置の機能を示すブロック図である。
【発明を実施するための形態】
【００１６】
以下、図面を参照して、本発明の実施形態に係る輸液装置及びシリンジポンプについて詳細に例示説明する。
【００１７】
まず、図１〜図３を参照して、本発明の第１実施形態に係る輸液装置１及びシリンジポンプ２について詳細に例示説明する。図１に示すように、本実施形態に係る輸液装置１は、シリンジポンプ２と、輸液バッグ３と、液体センサ４と、を有している。
【００１８】
シリンジポンプ２は、シリンジ５を保持するとともに、シリンジ５に収容された第２液体を輸液バッグ３に連なる輸液ライン６に送給可能に構成されている。第２液体は、生体に到達する流量の低下によって深刻な事態を生じる虞がある所定薬剤であってよい。このような所定薬剤としては、例えば、麻酔薬、昇圧剤、降圧剤等が挙げられる。シリンジ５は、注出孔と当該注出孔に連なる中空部とを区画するシリンダ状の外筒５ａと、当該外筒の中空部に挿入され、注出孔に向けて押されることで中空部内の第２液体を注出孔から押し出し可能な押し子５ｂと、を有している。シリンジポンプ２は、外筒５ａを固定可能なシリンジ用クランプ２ａと、押し子５ｂを注出孔に向けて押圧可能なスライダ２ｂと、を有している。また、シリンジポンプ２は、輸液バッグ３の交換を促すための所定情報を外部に報知可能な報知部２ｃを構成する表示部２ｄを有している。表示部２ｄは、種々の情報を表示可能な表示パネルであってもよいし、さらに種々の入力を受付け可能なタッチパネルであってもよい。
【００１９】
輸液ライン６は、輸液バッグ３と、人体等の生体とを接続している。輸液ライン６は、生体に留置される留置針等の留置部材７と、輸液バッグ３に連なる一端と留置部材７に連なる他端とを有する接続部材８と、を有している。接続部材８は、チューブ、コネクタ及び混注プラグ等によって構成することができる。接続部材８を構成する混注プラグには、シリンジ５の注出孔に連なる一端を有する混注ライン９の他端が接続されている。
【００２０】
輸液バッグ３には、目的に応じた所定の成分からなる第１液体Ｌが収容されている。本実施形態では、輸液バッグ３に収容された第１液体Ｌは、重力による自然滴下によって生体に送給される。しかし、輸液ポンプを輸液ライン６上に配置し、当該輸液ポンプによって送液してもよい。
【００２１】
液体センサ４は、輸液バッグ３に収容された第１液体Ｌの残量が所定量以下である場合に所定信号（以下、第１信号とも称する）を送信可能に構成されている。また、液体センサ４は、第１液体Ｌの残量が前記所定量を越えている場合に第１信号とは異なる他の信号（以下、第２信号とも称する）を送信可能に構成されている。液体センサ４は、本実施形態では、輸液バッグ３に配置された超音波センサである。液体センサ４は、このような超音波センサに限られず、例えば、輸液バッグ３の内部の電気容量の変化を検知可能な電気容量式センサであってもよい。本実施形態では、液体センサ４はシリンジポンプ２とケーブル１０によって有線接続されている。液体センサ４は、例えば両面テープ等によって輸液バッグ３に着脱可能に構成されている。
【００２２】
図２に示すように、液体センサ４は、輸液バッグ３の内部に向けて超音波を送信可能な超音波送信部と、当該超音波送信部から送信された超音波の反射波を受信可能な超音波受信部と、で構成されるセンサ部４ａを有している。シリンジポンプ２は、液体センサ４からの第１信号を受信可能な通信部２ｅを有しており、液体センサ４は、当該通信部２ｅと通信可能な通信部４ｂを有している。シリンジポンプ２の通信部２ｅは、液体センサ４の通信部４ｂから、第１液体Ｌの残量に応じて第１信号及び第２信号のいずれかをケーブル１０を介して受信可能である。液体センサ４は、シリンジポンプ２に設けられた電源部２ｆとケーブル１０を介して接続されており、電源部２ｆから供給される電力によって作動することができる。
【００２３】
シリンジポンプ２は、報知部２ｃを構成するものとして、表示部２ｄと音出力部２ｇとを有している。表示部２ｄは、輸液バッグ３の交換を促すための視覚的な所定情報を出力可能である。音出力部２ｇは、輸液バッグ３の交換を促すための聴覚的な所定情報を出力可能である。報知部２ｃは、表示部２ｄと音出力部２ｇとのいずれか一方によって構成されてもよい。
【００２４】
シリンジポンプ２は、シリンジポンプ２を作動させるための種々の入力を受付け可能な操作入力部２ｈを有している。操作入力部２ｈは操作ボタン等によって構成されている。操作入力部２ｈの一部又は全部を、表示部２ｄを構成するタッチパネルによって構成してもよい。
【００２５】
シリンジポンプ２は、シリンジ用クランプでシリンジ５の外筒５ａを固定した状態でスライダ２ｂを駆動し、それによって第２液体をシリンジ５の注出孔から押出するスライダ駆動部２ｉを有している。スライダ駆動部２ｉは、例えば電動モータ等によって構成することができる。
【００２６】
シリンジポンプ２は、通信部２ｅ、電源部２ｆ、表示部２ｄ、音出力部２ｇ、操作入力部２ｈ、スライダ駆動部２ｉ及び記憶部２ｊと接続された制御部２ｋを有している。制御部２ｋは、操作入力部２ｈからの入力、及び記憶部２ｊに記憶されたプログラムに従って、電源部２ｆ、スライダ駆動部２ｉ、表示部２ｄ及び音出力部２ｇ等の作動を制御可能である。また、制御部２ｋは、通信部２ｅ及び通信部４ｂを介して液体センサ４のセンサ部４ａの作動を制御する。
【００２７】
制御部２ｋは、報知制御部２ｌ、判定部２ｍ及び送給制御部２ｎを有している。報知制御部２ｌは、通信部２ｅが第１信号を受信すると報知部２ｃに所定情報を報知させるように構成されている。判定部２ｍは、第２液体が所定薬剤であるか否かを判定するように構成されている。第２液体の検知は、例えば、シリンジに配置されたタグに記憶された第２液体の製品ＩＤ等の情報を通信部２ｅによって読み取り可能にシリンジポンプ２を構成することによって行うことができる。また、第２液体の製品ＩＤ等の情報をサーバ又はパーソナルコンピュータ等に構築されたライブラリから通信部２ｅを介して取得可能にシリンジポンプ２を構成してもよい。また、第２液体の製品ＩＤ等の情報を操作入力部２ｈを介して使用者が入力可能にシリンジポンプ２を構成してもよい。所定薬剤の設定は、例えば、所定薬剤の製品ＩＤ等の情報を操作入力部２ｈを介して使用者が入力可能にシリンジポンプ２を構成することによって行うことができる。入力された所定薬剤の情報は、記憶部２ｊに記憶される。所定薬剤の情報は、使用者からの入力によらずに、予め記憶部２ｊに記憶しておくようにしてもよい。送給制御部２ｎは、輸液ライン６への第２液体の送給を制御可能に構成されている。本実施形態では、送給制御部２ｎは、判定部２ｍが第２液体は所定薬剤であると判定した場合に、通信部２ｅが第２信号を受信するまで輸液ライン６への第２液体の送給を開始しないように構成されている。しかし、送給制御部２ｎは、このような第２液体の送給の開始を制限する機能を有さない構成としてもよい。
【００２８】
制御部２ｋは、本実施形態では、中央処理装置（ＣＰＵ：Central Processing Unit）によって構成されている。しかし、制御部２ｋは、例えば、複数の処理装置によって構成されてもよい。
【００２９】
輸液装置１は、図３に示す要領で動作可能である。まず、ステップＳ１において、制御部２ｋは、操作入力部２ｈに第２液体の送給開始の入力が有ったか否かを判定する。制御部２ｋは、入力が有ったと判定した場合（ステップＳ１でＹｅｓの場合）、ステップＳ２に進む。一方、制御部２ｋは、入力が無かったと判定した場合（ステップＳ１でＮｏの場合）、ステップＳ１を繰り返す。
【００３０】
ステップＳ２において、制御部２ｋ（判定部２ｍ）は、第２液体が所定薬剤か否かを判定する。制御部２ｋ（判定部２ｍ）は、第２液体が所定薬剤であると判定した場合（ステップＳ２でＹｅｓの場合）、ステップＳ３に進む。一方、制御部２ｋは、第２液体が所定薬剤でないと判定した場合（ステップＳ２でＮｏの場合）、ステップＳ４に進む。
【００３１】
ステップＳ３において、制御部２ｋ（送給制御部２ｎ）は、他の信号（第２信号）を受信したか否かを判定する。制御部２ｋ（送給制御部２ｎ）は、第２信号を受信したと判定した場合（ステップＳ２でＹｅｓの場合）、ステップＳ４に進み、第２液体の送給を開始する。一方、制御部２ｋは、第２信号を受信していないと判定した場合（ステップＳ３でＮｏの場合）、ステップＳ３を繰り返す。
【００３２】
このように、本実施形態では、第２液体が麻酔薬等の所定薬剤である場合には、第２信号を受信したと判定されるまで、すなわち、液体センサ４が輸液バッグ３に配置され、且つ、輸液バッグ３に収容された第１液体Ｌの残量が所定量を越えていると判定されるまで、第２液体の送給が開始されない。したがって、第２液体が所定薬剤である場合に、輸液バッグ３への液体センサ４の装着を忘れた状態で第２液体の送給が開始されることを防止することができる。また、第２液体が所定薬剤でない場合には、液体センサ４を用いないで第２液体を生体に投与することができる。この場合、第２液体の投与は、輸液ライン６を介して行ってもよいし、輸液ライン６を介さずに直接投与してもよい。
【００３３】
制御部２ｋは、ステップＳ２からステップＳ３までの処理を行わないように構成されてもよい。この場合、制御部２ｋは、ステップＳ１でＹｅｓの場合に、ステップＳ２からステップＳ３までの処理を行わずに、ステップＳ４に進むことになる。
【００３４】
制御部２ｋは、ステップＳ４において第２液体の送給を開始した後、ステップＳ５に進む。ステップＳ５において、制御部２ｋは、所定信号（第１信号）を受信したか否かを判定する。制御部２ｋは、所定信号（第１信号）を受信したと判定した場合（ステップＳ５でＹｅｓの場合）、ステップＳ６に進み、所定情報を報知する。一方、制御部２ｋは、第１信号を受信していないと判定した場合（ステップＳ５でＮｏの場合）、ステップＳ５を繰り返す。
【００３５】
このように、制御部２ｋは、第１信号を受信した場合、すなわち、輸液バッグ３の残量が所定量以下になった場合には、報知部２ｃに所定情報を報知させることができる。この報知は、本実施形態では、輸液バッグ３を交換しない場合に深刻な事態を生じる虞がある所定薬剤を投与するためのシリンジポンプ２自体によって行われる。したがって、本実施形態によれば、医療従事者に輸液バッグ３の交換を強く促すことができ、もって、シリンジポンプ２によって投与される所定薬剤の意図した効果を確実に得ることができる。
【００３６】
本実施形態に係る輸液装置１及びシリンジポンプ２は、種々の変更が可能である。例えば、本実施形態では、液体センサ４は、第１液体Ｌの残量が所定量を超えている場合に第２信号を送信可能に構成されており、シリンジポンプ２は、第２液体が所定薬剤であるか否かを判定する判定部２ｍを有し、送給制御部２ｎは、判定部２ｍが第２液体は所定薬剤であると判定した場合に、通信部２ｅが第２信号を受信するまで輸液ライン６への第２液体の送給を開始しないように構成されている。しかし、シリンジポンプ２は、第２液体が所定薬剤であるか否かを判定する判定部２ｍを有していなくてもよく、送給制御部２ｎは、通信部２ｅが第２信号を受信するまで輸液ライン６への第２液体の送給を開始しないように構成されてもよい。
【００３７】
また、液体センサ４は、第１液体Ｌの残量が所定量を超えている場合に第２信号を送信可能に構成されていなくてもよい。この場合、シリンジポンプ２の判定部２ｍは、通信部２ｅと液体センサ４とが通信可能に接続されたか否かを判定するとともに、第２液体が所定薬剤であるか否かを判定するように構成されてもよく、送給制御部２ｎは、判定部２ｍが第２液体は所定薬剤であると判定した場合に、通信部２ｅと液体センサ４とが通信可能に接続されたことを判定部２ｍが判定するまで輸液ライン６への第２液体の送給を開始しないように構成されてもよい。シリンジポンプ２の判定部２ｍは、通信部２ｅと液体センサ４とが通信可能に接続されたか否かを判定するとともに、第２液体が所定薬剤であるか否かは判定しないように構成されてもよく、送給制御部２ｎは、通信部２ｅと液体センサ４とが通信可能に接続されたことを判定部２ｍが判定するまで輸液ライン６への第２液体の送給を開始しないように構成されてもよい。
【００３８】
次に、図４〜図５を参照して、本発明の第２実施形態に係る輸液装置１’及びシリンジポンプ２’について詳細に例示説明する。図４に示すように、本実施形態に係る輸液装置１’は、シリンジポンプ２’と液体センサ４’とが無線接続されている点で、第１実施形
態の場合と構成が異なり、その他の点では同様の構成となっている。図４〜図５において、第１実施形態の場合と同様の構成には、第１実施形態の場合と同じ符号を付している。
【００３９】
図５に示すように、本実施形態では、液体センサ４’は、センサ部４ａ、通信部４ｂ’、電源部４ｃ及び制御部４ｄを有している。制御部４ｄは、センサ部４ａ、通信部４ｂ’及び電源部４ｃと接続されており、これらの作動を制御可能である。制御部４ｄは、本実施形態では、マイクロコントローラによって構成されている。
【００４０】
シリンジポンプ２’の通信部２ｅ’は、本実施形態では、液体センサ４’の通信部４ｂ’と例えばBluetooth（登録商標）によって無線通信可能に構成されている。すなわち、シリンジポンプ２’の通信部２ｅ’は、液体センサ４’の通信部４ｂ’から、第１液体Ｌの残量に応じて第１信号及び第２信号のいずれかを無線通信を介して受信可能である。シリンジポンプ２’のその他の構成は、第１実施形態の場合と同様である。
【００４１】
輸液装置１’は、第１実施形態の場合と同様の要領で作動可能である。したがって、第２実施形態に係る輸液装置１’によれば、第１実施形態の場合と同様の効果を得ることができる。第２実施形態に係る輸液装置１’には、第１実施形態の場合と同様の種々の変更が可能である。
【００４２】
前述した本実施形態は、本発明の実施形態の一例にすぎず、発明の要旨を逸脱しない範囲で種々変更可能であることはいうまでもない。
【符号の説明】
【００４３】
１、１’  輸液装置
２、２’  シリンジポンプ
２ａ  シリンジ用クランプ
２ｂ  スライダ
２ｃ  報知部
２ｄ  表示部
２ｅ、２ｅ’  通信部
２ｆ  電源部
２ｇ  音出力部
２ｈ  操作入力部
２ｉ  スライダ駆動部
２ｊ  記憶部
２ｋ  制御部
２ｌ  報知制御部
２ｍ  判定部
２ｎ  送給制御部
３  輸液バッグ
４、４’  液体センサ
４ａ  センサ部
４ｂ、４ｂ’  通信部
４ｃ  電源部
４ｄ  制御部
５  シリンジ
５ａ  外筒
５ｂ  押し子
６  輸液ライン
７  留置部材
８  接続部材
９  混注ライン
１０  ケーブル
Ｌ  第１液体
【図１】
2019187690.tif 000003
【図２】
2019187690.tif 000004
【図３】
2019187690.tif 000005
【図４】
2019187690.tif 000006
【図５】
2019187690.tif 000007
【国際調査報告】
2019187690.tif 000008
2019187690.tif 000009
2019187690.tif 000010
2019187690.tif 000011